(57)【要約】【課題】細いために楽器としては存在していなかったが、独自の構造を持つことにより音質・音程・音階を保つことができ、耐久性・演奏技術の習得、取り扱いの容易性、その他自然保護の啓発材料とできるなどの課題を克服した自然で素朴で音質のよい良好な新式楽器である縦笛式の葦笛として提供する。【解決手段】一本の葦だけではあまりに細く音色は生じないため、新たな形式の葦部６に加えて、独自のマウスピース３を葦部６に融合・結合することによって、自然に溶け込んだ良質で安定感のある独自の音色を継続して発音できる形式にした。【選択図】  図１
2005266723.tif 000002
【特許請求の範囲】
【請求項１】
表に穴７個および裏側に１個を開け、空気の入り口方向先端にＶ・Ｕ字型の切り込みを有する葦の頭部に竹製のマウスピースに差し込んだ一体型の縦笛式葦笛。
【請求項２】
マウスピースの材料を竹製の他、木製・合成樹脂製で構成した上記請求項１に記載のマウスピース。以上の構成からなることを特徴とする。
【発明の詳細な説明】
【技術分野】
【０００１】本発明は管楽器で、葦と、葦に装着するマウスピース（竹・木材・プラスチック製類）の合同体で、双方とも単独では音色は生じない物同士を結合することにより、新しい自然の音色を生み出す縦笛形式の葦笛楽器に関するもの。
【背景技術】
【０００２】従来の公開されている技術とは、材質の使い方と構造の違いにある。本発明は管楽器に属する。形や音のイメージに最も近いものには尺八やケーナー・篠笛・龍笛・ひちりきなどがある。そのうち、尺八・ケーナー・篠笛・龍笛はいずれも竹製で、その本体に縦または横から直接空気を吹き込むことにより音を出す。ひちりきも同じく竹製の縦型であるが、本体の他にダブルリードと呼ばれる付属の音源を頭部に有し、その付属物が音を出している。つまり、植物系の縦型楽器の従来の方式は、太い竹製の本体自身が単独で音を出すか、または、ひちりきのように尺八よりは細く本体から音は出せないため、別の音源を付属し、組み合わせた方式で全体として音を発している構造であった。それらの管楽器は、最低限でも直径２センチメートルはあり、かなり太い。また、従来の楽器本体の材質は、葦とは違って、竹・木・金属・プラスチック・金属製など硬い材質である。また、これらの楽器の演奏は、本体が大きいため習得するには肺活量や熟練が十分に必要であった。本発明の太さは、外直径最大１４ミリメートル、最低１０ミリメートルと、従来の楽器にはなかったかなり細い葦を使用する。さらに材質が弱いと思われている植物の葦そのものを使い、細さと弱さにおいて限界に当たり、楽器としては始めての材質の使用と構成である。材質については、肉厚の厚い堅い部分を使い、用いる箇所によって硬質性の維持においては十分にカバーできる。細さにおいては、独自の新方式の構造により克服した。
【発明の開示】
【発明が解決しようとする課題】
【０００３】従来の楽器は、いずれも習得技術が大変難しく相応の時間がかかり根気や体力も必要であった。さらに、細過ぎる物は楽器の範疇にも入らず、最初から論外とみなされてか、実現の様子は皆無であった。それは、葦のように細い姿のままでは内部に息を吹き込むことすら極めて困難で、さらに安定継続して音色らしき音を出そうとするには、開口式の従来の方式では全く対応できなかった。既存の管楽器形式の中で最も細い物には、上述の技術でも説明している直径２センチメートルほどの和楽器の竹製のひちりきや篠笛があるが、それらにしても葦笛よりはかなり太く、従来の管楽器の範疇でしか扱えない。ひちりきにあっては、本体ではなく別の付属物から音を発する構造となっている。本体からのみ直接音を発する従来の管楽器には、尺八・ケーナー・篠笛などがある。しかしいずれも太く、最も細い篠笛すら横笛式で、容易に出せる構造にはなっていない。それよりも細い葦ではさらに無理であった。また、トトーラ（葦の一種）を使った底が閉管式のサンポーニャという外国製の笛があるが、これは細い瓶の口を吹くように、一本のトトーラの筒から一個の音しか出ないので、必要な音階の数だけのトトーラを横に並べ束ねた形式の楽器もある。葦の根本の外径は、葦の種類にもよるが最も太い種類で１８ミリメートル程度ある。葦笛は、太過ぎても細過ぎても縦笛式の楽器にはならず、また仮に音を出そうとしても、葦単独では極めて困難なことから楽器には実現していなかった。さらに、従来の楽器の多くは旋盤機械などの道具を使い、人工的に形を作る行程が含まれ、加工し直されているため、自然に存在し自然な味と形から出る音ではなく、人工的・技巧的な音となっている。
【課題を解決するための手段】
【０００４】上記目的を達成するため、本発明は細い筒状をそのまま活かし、細くとも葦そのままを本体に使用することとした。ただし、葦一本のままでは音色は出せない。そこで、葦の内部は、節を抜いた開放された自然空間と同じ全開放型にし、その開放された葦と空気導入のためだけの筒状のマウスピースを組み合わせ、材料の本質や形を変えず、単に差し込むだけの両者の融・結合した新方式とした。使用する葦は、自生する葦の比較的太い箇所を使い、管楽器にできる外直径は、最大約１４ミリメートルから最低１０ミリメートルの間とする。前述のように、その一本の細い葦だけでは、空気を吹き込む入り口が非常に細く狭いため、太い尺八やケーナのように演奏の技巧性があっても、葦を自由に表現しながら吹くなどということは論外で、わずかな音を出すことすらでも極めて困難であった。そこで本発明は、葦本体に、付属した独自の形態のマウスピースを装着し、両者を融合し結合する方式を用いることによって、始めて一つの楽器として機能するという方式を実現し、葦とマウスピースの合同体の縦笛式葦笛とした。葦部６には、下側先端から、低いドから１オクターブ高いドに相当する穴７個、裏側にはオクターブ上を出し易くするための１個の穴、合計８個をおおむね図の位置に開け、さらに葦部６の空気の流入口にＶ字またはＵ字型の切り込み５を有しこれを音源とする。それを音源とするが、まだそれ自体のみでは音色は発しない。次に、葦本体に入る空気の流れを安定するための独自のマウスピース部３を装着するが、このマウスピース自体も音は発しない。この両者が相まって、今までになかった音色を発する構造としている。従って、マウスピース３の構造も葦部６に同じく、単なる筒状と非常に簡素で、空気の出入り口を設け、内部には木製の詰め栓１を装着するのみとしている。マウスピースの材質は、竹製（葦と同じイネ科植物で相性がよい）で、他に木材・プラスチックなどの合成樹脂製も使うこともできる。以上の構成からなることを特徴とする縦笛形式の葦笛とする。マウスピース３と葦６は、指し込み式ではあるが、竹と葦の自然な形である根本ほど太く先端ほど細いという特徴を利用して合体することによりガタつかず、上方から差し込むと下方には抜けない構造となり、そのことによって音質は非常に安定する。葦の材質については、葦茎の中程から根元に近い肉厚の厚い下部を使用することにより、楽器としての問題は十分克服し解決できる。葦の色と竹製のマウスピースは共に黄土色で、色の系統的にもしっくりとして落ち着いている。マウスピースの色は材料によっても異なる。形としては、図３横斜視図のシンプルな基本形の上に、付属として何らかの飾りを付けたり、口元の形をやや細く変形することもあるが、葦笛の構造は基本的には変わらないので、演奏や音質に影響が及ばない範囲で材質は自由に選択することができる。
【発明の効果】
【０００５】以上説明したように、本発明の縦笛式葦笛は、既存の楽器の材質には全く使われていなかった細く弱い材質を使用する。本発明の構造を持つことにより、従来の木管や金属楽器に匹敵し、ピアノの調律のピッチに適合するほどの音程・音質・音量ともに安定している。さらに、素朴な楽器の分野では他には全く実現しなかったまろやかで優しいアルファークリスタル的な音色を醸し出す。また、楽器としては重量（約１０グラム）は軽く、寸法の限界にも近く、よって大きな肺活量も不要なため、子供から高齢者まで気安く扱うことができる。さらに、楽器の演奏経験も問わず、誰でもわずかな手ほどきで、すぐに演奏が可能となる。空気を吹き込むだけで音が出るので、非常に吹きやすく習得も早い。従来のすべての管楽器に比べられないほど吹き易く、楽しく容易に吹くことができるにもかかわらず、醸し出す音色や音質は自然の風景や湖面・葦原・水のイメージに近く、人間や植物などの生命の不思議さをイメージさせるような繊細で独特の音色を持つ楽器である。音域も素朴な楽器の割に２オクターブと大きいので、幅広い曲目とジャンルの演奏に活用でき、この方式は開放された自然界の音に近づいているため、音楽療法の使用にもそのまま対応できる楽器である。
【発明を実施するための最良の形態】
【０００６】以下、図１、図２、図３を参照して本発明の実施形態について説明する。図１は全体図で、上部にマウスピース部、下部には葦部で構成している。マウスピース部は、筒状の円筒形で、内部は空洞である。音質の確保の観点から主として竹製のものが最もふさわしい。筒状のマウスピースの中程やや上部に、入り口から吹き込まれた空気の出口になる切り込み口４を開ける。詰め栓１は丸い形で、円筒形のマウスピースの筒３にぴったり装着するよう内径と外径を合わし固定する。詰め栓１は、空気が入り込むための隙間２（平面で台形型に削り取る）を設け、できた隙間は空気の入り口となる。次に葦部６であるが、葦には節は用いないが、強度を保つため下方付近に付いていてもよい。節があるときは、内部はヤスリなどできれいに抜き、空洞にする。葦部６には、音階をつくる穴７個と、裏側にオクターブ上に上げやすくする丸い穴１個を設ける。穴の位置・間隔・穴の大きさは、ピアノなどの楽器の音程と聞き比べながら決め、葦の長さや太さによって一定ではないので、位置はそれぞれ異なる。葦部の上部には、葦の太い方側を用い、入り口には音源となるＶ字またはＵ字型の切り込み５を入れる。吹き込まれた空気が、吹き込み口５の音源部分に当たって音を発っし、さらに両手の指で穴を開閉することにより音階となるが、葦部６だけで音を出すのはほとんど困難で、空気の摩擦音は聞こえても音色には全くならない。図２は、図１の横方向から見た断面図である。右手から説明すると、吹き込む空気は８から入る。吹き込まれた空気は矢印のように流れ、マウスピースの開口部４から出て行く。そのときの空気の流れは、マウスピースの外部と葦の内部へと分かれて流れる。うまく葦内部に入った空気は、葦の内壁繊維に当たりながら通過し、反響共振して音色を作る。詰め栓１には、空気の入り口を確保する平面２を設ける。平面２は、先に行くほど高く狭くなっているため、吹き込む空気が内部で圧縮され、強く吹き出て葦６の頭部の音源部分５に当たる。音源部５に圧縮された空気が当たるとき、外側と内部側にバランスよく分かれ出るよう、詰め栓１の平面２の台形の面積と寸法を、音を聞きながら調節する。マウスピースの役割は、通り抜ける空気の方向を、うまく葦部の音源部分５にフィットし、吹き込まれた空気の圧力・方向・流れをコントロールすることあり、葦部に同じくマウスピース部からも音は発していない。音源５の形は、鋭角型のＶ字から緩やかなＵ字型の範囲で自由に設定でき、音色が微妙に変わることが非常におもしろい特性を持つ葦笛の楽器といえる。葦部先頭の太さが最も太く、マウスピース部下方の太さが最も細いことを利用し、葦部とマウスピース部は、一旦差し込めば抜けない構造となり、このことが楽器と呼べる音質・音程・音階の三拍子を保つ上で非常に重要な要素となり、質のよい竹製を用いることにより音の自然感を保つことができ、楽器としての要素をうまく具備している。次に葦部の内部に入ってきた空気は、指で開閉する穴の数と、穴の位置の違いにより音程が変わる。全部穴を塞いだときが、最も音程が低い移動度のドに当たり、全部開放したときが１オクターブ高いド＃になる。おおむね１オクターブ半から２オクターブの範囲の音が出せる。素朴な割に、出せる音域の幅が広く、幅広い曲目の演奏が可能となる。長さについては、マウスピース部の全長は７センチメートル、葦笛全体の全長はおおむね最短２２センチメートルから、最長３３センチメートルまでの幅で楽器となることができる。この長さや太さの規格を超えても音は出るが、音質も悪くなり楽器には適さない。なお、葦部の音源頭部の外直径は、１０ミリメートルから１４ミルメートルまでの太さが縦笛式葦笛としての楽器の許容範囲である。マウスピースの材質については、上記の理由により、葦部の頭部の外径に被さる内径を持った竹製が適切であるが、他には同型の硬質の木材・合成樹脂類でも同様に使用できる。葦部とマウスピース部の差し込みと接着は、接着剤で固定しなくてもよいが、両者の寸法を狂いなくしっかりと合わせることによって、マウスピースに挿入されているだけで抜けずに固定できる。また、数年後に葦が乾燥し収縮したときには緩むこともあるので、接着剤で固定してもよいが、接着すると音質不調になとき、葦部の交換は不能となる。耐久性については、極細である葦植物そのものを使用するので消耗的な面もあるが、葦の肉厚のある部分を使用することにより十分解消し、数年は品質も劣化せず持続できる。マウスピースに用いる竹類（め竹・矢竹）は、葦と同質のイネ科植物で相性も非常によく、色合いも形も葦笛に最もふさわしく、最も自然に近い音質が味わえる。葦笛の音質の特徴は、山間の細い渓流の爽やかな水のせせらぎの音や、葦原や竹藪の中を通り抜けるさらさらした風の音に似て、フルートの高音色の音色にも近いが、開放された空間に充ちあふれるの非常に落ち着いた軽いアルファ・クリスタル系の独特の音色を醸し出すことが、他の楽器には味わえない特色である。
【図面の簡単な説明】
【０００７】
【図１】マウスピース部３と葦部６を示した正面全体斜視図
【図２】図１の横方向の断面図
【図３】図１のマウスピース部の斜視図・断面図と音源部分図
【符号の説明】
【０００８】１詰め栓
２詰め栓１の空気の通路台形平面
３マウスピース
４マウスーピ−ス中程上部の空気流出口
５葦部のＶ字またはＵ字型の切り込み
６葦部本体
７葦部本体の音階用の穴７個および裏側に１個。
８空気の出入り
【図１】
2005266723.tif 000003
【図２】
2005266723.tif 000004
【図３】
2005266723.tif 000005